(57)【要約】  本発明は、流動性のある飼料又は食料中に含まれる虫を不活化する衝撃付与装置（１）であって、処理すべき物品用のそれぞれ少なくとも１つの入口開口（３）及び出口開口（４）を有するハウジング（２）と、ハウジング（２）内に回転軸線（５）周りに回転可能に配置されるドラム（６）と、を備え、ドラム（６）の２つの端面部材（７，８）間に、回転軸線（５）に対して略平行に延在する複数の第１種の羽根要素（９）が配置されており、第１種の羽根要素（９）は、衝撃付与面（１０）を有しており、ドラム（６）は、部分的に周囲をハウジング（２）の壁（１１）により包囲されており、少なくとも１つの入口開口（３）及び少なくとも１つの出口開口（４）は、壁（１１）内に形成されている、衝撃付与装置（１）に関する。
2016529895.tif 000002
【特許請求の範囲】
【請求項１】
流動性のある飼料又は食料中に含まれる虫を不活化する衝撃付与装置（１）であって、
処理すべき物品用のそれぞれ少なくとも１つの入口開口（３）及び出口開口（４）を有するハウジング（２）と、
前記ハウジング（２）内に回転軸線（５）周りに回転可能に配置されるドラム（６）と、
を備え、前記ドラム（６）の２つの端面部材（７，８）間に、回転軸線（５）に対して略平行に延在する複数の第１種の羽根要素（９）が配置されており、前記第１種の羽根要素（９）は、衝撃付与面（１０）を有しており、かつ
前記ドラム（６）は、部分的に周囲を前記ハウジング（２）の壁（１１）により包囲されており、前記少なくとも１つの入口開口（３）及び前記少なくとも１つの出口開口（４）は、前記壁（１１）内に形成されている、
ことを特徴とする衝撃付与装置。
【請求項２】
前記少なくとも１つの入口開口（３）及び前記少なくとも１つの出口開口（４）は、前記回転軸線（５）を中心にして、互いに９０°より大きく、２７０°より小さい角度を置いて、好ましくは約１８０°の角度を置いてずらされて配置されている、請求項１に記載の装置。
【請求項３】
前記第１種の羽根要素（９）は、５ｍｍ〜２５ｍｍ、特に１０ｍｍ〜２０ｍｍの幅を有する略平たんな衝撃付与面（１０）と、略四角形の横断面とを有する、請求項１又は２に記載の装置。
【請求項４】
前記第１種の羽根要素（９）の前記衝撃付与面（１０）は、前記ドラム（６）の半径方向に対して、０°〜４５°、特に０°〜１０°傾いている、請求項１から３までのいずれか１項に記載の装置。
【請求項５】
前記第１種の羽根要素（９）は、前記回転軸線（５）に対して半径方向で略同じ間隔を置いて配置されている、請求項１から４までのいずれか１項に記載の装置。
【請求項６】
隣り合う前記第１種の羽根要素（９）は、互いに略同じ間隔を置いて配置されている、請求項１から５までのいずれか１項に記載の装置。
【請求項７】
前記ドラム（６）の前記端面部材（７，８）間に、前記回転軸線（５）に対して略平行に延在する複数の第２種の羽根要素（１２）が配置されている、請求項１から６までのいずれか１項に記載の装置。
【請求項８】
前記第２種の羽根要素（１２）は、５ｍｍ〜２５ｍｍ、特に１０ｍｍ〜２０ｍｍの幅を有する略平たんな羽根面（１３）と、斜面（１５）とを有し、前記羽根面（１３）及び前記斜面（１５）は、前記ドラムの回転方向を向いたエッジ、好ましくは鋭利なエッジにおいて交わり、特に前記第２種の羽根要素（１２）は、略台形あるいは直角台形の横断面を有する、請求項７に記載の装置。
【請求項９】
前記第２種の羽根要素（１２）の前記羽根面（１３）は、前記ドラムの半径方向に対して、１５°〜７５°、特に４０°〜６０°傾いている、請求項７又は８に記載の装置。
【請求項１０】
前記第２種の羽根要素（１２）は、前記回転軸線（５）に対して半径方向で略同じ間隔を置いて配置されている、請求項７から９までのいずれか１項に記載の装置。
【請求項１１】
前記第１種の羽根要素（９）及び前記第２種の羽根要素（１２）は、前記ドラム（６）の回転方向でそれぞれ交互に配置されている、請求項７から１０までのいずれか１項に記載の装置。
【請求項１２】
前記第２種の羽根要素（１２）は、前記回転軸線（５）に対して半径方向で前記第１種の羽根要素（９）の外側に存在する、請求項７から１１までのいずれか１項に記載の装置。
【請求項１３】
前記壁（１１）は、前記少なくとも１つの入口開口（３）及び／又は前記少なくとも１つの出口開口（４）の領域に少なくとも１つの払拭要素（１８，１９）を有し、前記少なくとも１つの払拭要素（１８，１９）と前記第２種の羽根要素（１２）との間の、前記回転軸線に対して半径方向の間隙幅は、０．５ｍｍ〜５ｍｍ、特に１ｍｍ〜３ｍｍである、請求項１２に記載の装置。
【請求項１４】
特に請求項１から１３までのいずれか１項に記載の装置を用いて、流動性のある飼料又は食料中に含まれる虫を不活化する方法であって、
複数の衝撃付与面を装備し、回転軸線（５）周りに回転するドラム（６）に対して、処理すべき物品を、前記回転軸線に対して略半径方向で供給するステップ、
を有することを特徴とする方法。
【請求項１５】
横流送風機に類似したロータの、流動性のある飼料又は食料中に含まれる虫を不活化するための使用。
【発明の詳細な説明】
【技術分野】
【０００１】
本発明は、流し込み可能な流動性のある飼料又は食料中に含まれる虫を不活化する衝撃付与装置及び方法に関する。
【０００２】
本発明の意味での「流動性のある飼料又は食料（ｓｃｈｕｅｔｔｆａｅｈｉｇｅｓ  Ｆｕｔｔｅｒ−  ｏｄｅｒ  Ｌｅｂｅｎｓｍｉｔｔｅｌ）」とは、虫害が所望されない粉状及び粒状の飼料あるいは食料及びこれらの混合物、さらに好ましくは製粉業製品、例えば穀粉、セモリナ粉、ミドリング粉、澱粉等を意味している。
【０００３】
本発明の意味での「虫（Ｉｎｓｅｋｔ）」とは、成長過程における各段階、例えば幼虫、蛹、成虫、特に虫卵の段階にあり、流動性のある飼料又は食料中に混入している虫を意味している。
【０００４】
本発明の意味での「不活化（Ｉｎａｋｔｉｖｉｅｒｕｎｇ）」とは、特に、殺虫、特に殺卵を意味している。しかし、殺虫あるいは殺卵は、必須ではない。本発明に係る装置を出た直ぐ後あるいは本発明に係る方法を実施した直ぐ後に死に絶えるようなダメージを虫に与えればよい。重要なことは、処理される飼料あるいは食料において虫害がもはや発生し得ないことである。
【０００５】
この種の装置は、例えば本件出願人であるＢｕｅｈｌｅｒ  ＡＧ（在Ｕｚｗｉｌ  ＣＨ−９２４０）の国際公開第９１/１１２６０号において公知であり、虫、特に、一般に飼料あるいは食料に近似したオーダ（一般に０．０８ｍｍ〜０．６ｍｍ）にあって、やはり飼料あるいは食料に類似した３次元の形状（一般には楕円形）を呈し、それゆえ、例えば分級機によっては飼料あるいは食料から分離できない虫卵を不活化する際に使用されている。
【０００６】
国際公開第９１/１１２６０号の図５〜図８に看取可能であるように、処理すべき飼料又は食料（以下、処理すべき物品という）は、衝撃付与機械に対して軸方向（４０）で衝撃付与ディスクの回転軸線の領域において供給され、その後、高速回転する衝撃付与ディスクにより変向され、半径方向（４１）で外向きに加速される。
【０００７】
この場合、処理すべき物品は、衝撃付与ディスクの、円形の横断面を有する複数の衝撃付与ピンが形成されている領域を通過する。処理すべき物品中にいる、打撃に対して極めて敏感な虫も、この領域を通過し、その際に、衝撃付与ピンにより叩打され、衝撃エネルギにより破壊される。
【０００８】
処理される飼料あるいは食料（以下、処理される物品という）は、その後、ハウジングの壁に捕捉され、その後、この壁に沿って、衝撃付与ディスクに対して接線方向で配置された出口開口に達するまで流動し、衝撃付与機械を後にする。
【０００９】
しかし、このような衝撃付与機械は、多くの観点において満足のいくものではない。それというのも、特にこのような衝撃付与機械は、ユーザの要求に簡単には適合し得ないからである。
【００１０】
処理量を高めたいという目的は、衝撃付与機械を軸方向で延長しても、物品の軸方向‐半径方向の変向に基づいて、限定的に達成されるにすぎないので、衝撃付与ディスクの直径をより大きくした衝撃付与機械が提供されねばならない。しかし、衝撃付与ディスクの直径の拡大については、特に、追加的に必要となる駆動出力が処理量の向上に見合わないために、限界がある。結果として、処理量の向上のために、単数又は複数の衝撃付与機械が並列に接続されることとなる。
【００１１】
流動技術的にもこのような衝撃付与機械は、最適とは言い難い。物品の軸方向‐半径方向の変向と、衝撃付与ピンの構成とに基づいて乱流が発生してしまう。乱流は、衝撃付与機械内での物品の平均滞留時間を延長してしまう。このことは、他方、できる限り不変であることが望ましい物品の粒度分布に影響を及ぼしてしまう。
【００１２】
それゆえ本発明の課題は、公知技術の欠点を回避し、特に簡単かつ低コストにユーザの要求に適合し得る、冒頭で述べた形態の装置及び方法を提供することである。
【００１３】
さらに本発明に係る装置及び本発明に係る方法は、流動特性を改善し、粒度分布を実質的に変更せず、プロセス設計を単純にし、それにもかかわらず虫の確実かつ略完全な不活化を保証することが望ましい。
【００１４】
上記課題は、独立請求項の特徴により解決される。
【００１５】
第１種の羽根要素が、２つの端面部材間を、ドラムの回転軸線に対して略平行に延在している。しかし、製造に起因して、平行からの偏差があってもよい。第１種の羽根要素は、第１種の羽根要素の、端面部材側の端部領域における、回転軸線に対する半径方向の間隔が、第１種の羽根要素の中央部における、回転軸線に対する半径方向の間隔よりも大きくなるようにした湾曲を有していてもよい。これにより、運転時の、遠心力に起因したドラムの拡径は、抑制され得る。
【００１６】
羽根要素の衝撃付与面とは、本発明に係る装置の運転時に、処理すべき物品及び虫の衝突が起こる面を意味している。
【００１７】
少なくとも１つの入口開口及び少なくとも１つの出口開口が、本発明によれば、ドラムの周囲を部分的に包囲、すなわち、入口開口及び出口開口が配置されている領域を除いて包囲しているハウジングの壁内に配置されている。これにより、壁は、ドラムの一種のジャケットを形成している。
【００１８】
処理すべき物品は、２つの端面部材と、処理すべき物品を通過させる開放された周面とを有するドラムの構成と、物品の略半径方向の供給及び排出を可能にする少なくとも１つの入口開口及び少なくとも１つの出口開口の配置とに基づいて、第１種の羽根要素により形成される第１の衝撃付与域を２回通過する。
【００１９】
処理すべき物品の流動特性は、軸方向‐半径方向の変向がないことに基づいて、従来技術の装置と比較して乱流が少ない。これにより、処理すべき物品の平均滞留時間は、短縮可能である。平均滞留時間の短縮は、一方では、より良好なプロセス設計に至り、他方では、粒度分布を本質的に変化させない。さらに、物品の略半径方向の供給及び排出は、ドラムが軸方向で必要に応じて延長されることにより、所望の処理量への装置のより良好な適合を可能にする。これにより、本発明に係る装置の運転時、特に、極めて高い処理量での本発明に係る装置の運転時のエネルギ節減も可能となる。
【００２０】
さらに好ましくは、少なくとも１つの入口開口及び少なくとも１つの出口開口は、回転軸線に関して、互いに９０°より大きく、２７０°より小さい角度を置いて、好ましくは約１８０°の角度を置いてずらされて配置されている。
【００２１】
これにより、従来技術の装置のような流動技術的に望ましくない軸方向‐半径方向の変向を受けることなく、ドラムの内側で物品が衝撃付与プロセスに基づいて略弧状の軌道を描くので、少なくともハウジングに関して、物品の略直線状の移動が可能となる。
【００２２】
第１種の羽根要素は、好ましくは、略平たんな衝撃付与面を有している。略平たんな衝撃付与面とは、例えば軽微な湾曲又は表面の構造化により、完全に平たんな面から逸脱していてもよい衝撃付与面を意味している。略平たんな衝撃付与面により、衝撃付与挙動、ひいては処理すべき物品の流動特性は、さらに改善可能である。衝撃付与面は、好ましくは、５ｍｍ〜２５ｍｍ、さらに好ましくは、１０ｍｍ〜２０ｍｍの幅、すなわち回転軸線に対して横方向の空間的な延在長さを有している。
【００２３】
さらに好ましくは、第１種の羽根要素は、略四角形の横断面を有している。このことは、例えば第１種の羽根要素のエッジが丸み付け部又は面取り部を有していてもよいことを排除しない。これにより、標準形材が採用可能であるので、ドラムの簡単な製造が可能となる。
【００２４】
第１種の羽根要素は、端面部材に堅固に結合、特に溶接される。択一的又は付加的に、第１種の羽根要素を端面部材の相応に成形された凹部及び／又は開口内に嵌合し、その後、溶接その他の方法、例えばねじ等の公知の固定手段により固定することも可能である。ドラムは、少なくとも部分的に注型により製造されてもよい。ドラムの寸法次第では、第１種の羽根要素が両端面部材の一方のみ、特に駆動側に配置される端面部材に堅固に結合されるようになっていてもよい。
【００２５】
さらに好ましくは、第１種の羽根要素は、略直線状に２つの端面部材間を延在する。第１種の羽根要素がドラムの軸方向で少なくとも部分的にヘリカル状又はスパイラル状の延びを有することも可能である。
【００２６】
さらに好ましくは、第１種の羽根要素の衝撃付与面は、ドラムの半径に関して、０°〜４５°傾いている。このことは、衝撃付与面を規定する平面、又は例えば衝撃付与面が構造化されて構成されているために、少なくとも実質的に衝撃付与面を特徴付ける平面が、軽微に湾曲されているか、又は縁部において面取り又は丸み付けされており、衝撃付与面と交差するドラムの半径が、０°〜４５°の角距離を有する鋭角を形成することを意味している。さらに好ましくは、この角距離は、０°〜１０°である。
【００２７】
第１種の羽根要素は、さらに好ましくは、衝撃付与面が「下向きに」、すなわちドラムの回転軸線の方に方向付けられているように配置されている。第１種の羽根要素のこのような配置により、衝撃付与面との衝突が供給時にも排出時にも最適な角度で実施されることで、処理すべき物品の流動特性がさらに改善されることが達成される。それにもかかわらず、流動特性は、従来技術の装置と比較して乱流が少なく、既に上述した利点を結果として伴う。
【００２８】
さらに好ましくは、第１種の羽根要素は、回転軸線に関して半径方向で略同じ間隔を置いて配置されている。これにより、第１種の羽根要素は、円柱の仮想の周面上に位置している。さらに好ましくは、隣り合う第１種の羽根要素は、互いに略同じ間隔を置いて配置されている。これらの好ましい態様は、入口開口及び／又は出口開口の領域及び／又はドラム内部に物品が滞ることなしに、ドラムの全周にわたっての、処理すべき物品の略一定の処理量を可能にする。
【００２９】
本発明のさらに好ましい態様において、ドラムの端面部材間に、回転軸線に対して略平行に延在する複数の第２種の羽根要素が配置されている。
【００３０】
ここで附言しておくと、第１種の羽根要素の構成及び変化形態に関する上述の利点は、第２種の羽根要素にも当てはまる。
【００３１】
第２種の羽根要素は、好ましくは、略平たんに形成されており、さらに好ましくは、やはり衝撃付与面として用いられ得る羽根面を、好ましくはやはり有し、さらに斜面も有し、羽根面及び斜面は、ドラムの回転方向を向いたエッジ、好ましくは鋭利なエッジにおいて交わっている。羽根面は、好ましくは、５ｍｍ〜２５ｍｍ、さらに好ましくは、１０ｍｍ〜２０ｍｍの幅、すなわち、回転軸線に対して横方向の空間的な延在長さを有している。さらに好ましくは、第２種の羽根要素の羽根面の幅は、実質的に第１種の羽根要素の衝撃付与面の幅に相当する。
【００３２】
第２種の羽根要素は、好ましくは、略台形、特に直角台形の横断面を有している。この横断面は、特に第２種の羽根要素がドラムの縁部領域に配置されているときに、処理すべき物品の流動特性に対して肯定的な影響を及ぼすことができる。
【００３３】
第２種の羽根要素は、好ましくは、第１種の羽根要素と同じ四角形の標準形材から、この四角形の標準形材のエッジが、標準形材の底面に関して斜めの面を形成すべく切削加工されることによって、製造される。
【００３４】
さらに好ましくは、第２種の羽根要素は、略直線状に２つの端面部材間を延在している。しかし、第２種の羽根要素は、必ずしも第１種の羽根要素と同じ延びを有している必要はない。例えば、第１種の羽根要素が、ヘリカル状又はスパイラル状の延びをもって延在している一方、第２種の羽根要素が、略直線状に延在していること、又は反対に、第１種の羽根要素が、略直線状に延在している一方、第２種の羽根要素が、ヘリカル状又はスパイラル状の延びをもって延在していることも、可能である。
【００３５】
さらに好ましくは、第２種の羽根要素の羽根面は、ドラムの半径に関して、１５°〜７５°傾いている。このことは、羽根面を規定する平面、又は例えば羽根面が構造化されて構成されているために、少なくとも実質的に羽根面を特徴付ける平面が、軽微に湾曲されているか、又は縁部において面取り又は丸み付けされており、羽根面と交差するドラムの半径が、１５°〜７５°の角距離を有する角度を形成することを意味している。さらに好ましくは、この角距離は、４０°〜６０°である。
【００３６】
さらに第２種の羽根要素は、好ましくは、衝撃付与面が「下向きに」、すなわちドラムの回転軸線の方に方向付けられているように配置されている。
【００３７】
さらに好ましくは、第２種の羽根要素は、回転軸線に関して半径方向で略同じ間隔を置いて配置されている。
【００３８】
さらに好ましくは、隣り合う第２種の羽根要素は、互いに略同じ間隔を置いて配置されている。
【００３９】
さらに好ましい態様において、第１種の羽根要素及び第２種の羽根要素は、ドラムの回転方向でそれぞれ交互に配置されている。このことは、ドラムの半径方向、すなわち周面を見たときに、それぞれ１つの第１種の羽根要素が２つの第２種の羽根要素間に、反対にそれぞれ１つの第２種の羽根要素が２つの第１種の羽根要素間に配置されていることを意味している。それゆえ、第１種の羽根要素の数は、第２種の羽根要素の数に等しい。
【００４０】
ドラムの直径１ｍ当たりそれぞれ４０〜７０の第１種あるいは第２種の羽根要素の比が、特に好適である。
【００４１】
さらに好ましくは、本発明において、第２種の羽根要素が、回転軸線に関して半径方向で第１種の羽根要素の外側に存在する。これにより、処理すべき物品は、第２種の羽根要素の、既に物品の処理が実施可能な領域から、第１種の羽根要素へと到達し、第１種の羽根要素において物品が衝撃付与面に衝突する。衝突時に発生する変向と、ドラムの回転とにより、物品は、ドラムからはじき飛ばされ、その後、ハウジングの壁に沿って出口開口に向かって流動する。
【００４２】
その際、好ましくは、第１種の羽根要素の最大の半径方向の延在長さが、実質的に第２種の羽根要素の最小の半径方向の延在長さに相当するようになっていてもよい。
【００４３】
第１種の羽根要素及び第２種の羽根要素のこのような好ましい配置により、本発明に係る装置では、横流送風機の基本原理が使用される。第２種の羽根要素は、軽微な吸い込みを発生させ、その結果、処理すべき物品は、ハウジング内に到達し、最終的にドラム内に到達する。
【００４４】
しかし、ドラムは、横流送風機とは異なり、空気の過度に高い渦動を回避しなければならない。過度に高い渦動は、さもなければ、ドラム内の流動特性を過度に乱流化し、平均滞留時間を延長してしまうからである。特に入口開口の領域にエアクッションが形成されないことも重要である。エアクッションは、物品の供給を妨げ、最悪の場合、物品が供給管路を詰まらせてしまうほどに物品の密度を高める場合がある。
【００４５】
虫の不活化のために必要な衝撃エネルギは、実質的に第１種の羽根要素の衝撃付与面への衝突時に発生する。しかし、第２種の羽根要素の羽根面も、配置次第では、羽根面への衝突による不活化を可能にする場合がある。
【００４６】
さらに好ましくは、ドラムの周囲を包囲するハウジングの壁は、実質的に円柱の周面の形状を呈している。少なくとも１つの入口開口の領域及び少なくとも１つの出口開口の領域は、例外をなす場合がある。これらの領域は、例えば空気及び／又は物品の渦動の回避のために又は物品のより良好な排出のために流動技術的に最適化されている場合がある。
【００４７】
さらに好ましくは、ドラムの周囲を包囲するハウジングの壁と、半径方向で最も外側に存在する第１種の羽根要素及び／又は第２種の羽根要素との間の間隙幅は、好ましくは５ｍｍ〜２０ｍｍ、さらに好ましくは１０ｍｍ〜１５ｍｍである。
【００４８】
ドラムの周囲を包囲する壁は、少なくとも１つの入口開口及び／又は少なくとも１つの出口開口の領域に払拭要素を有していてもよい。
【００４９】
少なくとも１つの入口開口の領域に設けられた払拭要素は、処理すべき物品がドラムに入り、ドラムと壁との間の間隙には入らないように配置されている。これにより、物品の流れがドラムを通過し、少なくとも２回、第１種の羽根要素及び／又は第２種の羽根要素の衝撃付与面により叩打されることが保証される。
【００５０】
少なくとも１つの出口開口の領域に設けられた払拭要素は、今や処理された物品がハウジングから搬出されるように配置されている。これにより、今や処理された物品が、装置を後にし、ひいては平均滞留時間に否定的な影響が及ぼされないことが保証される。
【００５１】
払拭要素と第１種の羽根要素及び／又は第２種の羽根要素との間の、回転軸線に関して半径方向の間隙幅は、好ましくは０．５ｍｍ〜５ｍｍ、特に好ましくは１ｍｍ〜３ｍｍである。
【００５２】
ドラムの安定性を向上させるべく、好ましくは、端面部材間に別の補強要素が設けられていてもよい。補強要素は、第１種の羽根要素及び／又は第２種の羽根要素に結合されており、運転中、第１種の羽根要素及び／又は第２種の羽根要素の半径方向の拡径に抗して作用する。
【００５３】
補強要素は、好ましくは円環形のディスクとして形成されている。
【００５４】
さらに好ましくは、端面部材は、実質的に閉じた面として形成されている。端面部材を実質的に閉じた面として形成することは、駆動装置のフランジ結合のために又は第１種の羽根要素及び／又は第２の種の羽根要素の固定のために、場合によっては開口が設けられていてもよいことを排除するものではない。
【００５５】
本発明に係る装置は、別の好ましい態様において、空気圧式の圧送システムを有するプラント内で運転されてもよい。この場合、好ましくは、ドラムの回転軸線が通常のように水平に配置されるのではなく、垂直又は任意の傾きをもって配置されてもよい。
【００５６】
少なくとも１つの入口開口及び少なくとも１つの出口開口は、好ましくはドラムの軸方向の略全長にわたって延在している。択一的には、さらに好ましくはやはりドラムの軸方向の略全長にわたって延在する複数の入口開口及び／又は複数の出口開口が設けられていてもよい。
【００５７】
さらに好ましくは、少なくとも１つの入口開口の、ドラムに関して軸方向の延在長さが、第１種の羽根要素及び／又は第２種の羽根要素の軸方向の延在長さより小さい。さらに好ましくは、この差は、端面部材の領域においてそれぞれ１ｍｍ〜２５ｍｍ、さらに好ましくは３ｍｍ〜１３ｍｍである。これにより、処理すべき物品が、装置への流入時に、それぞれの端面部材とハウジング端壁との間の間隙に入ることは、回避される。
【００５８】
ドラムの直径は、好ましい態様では、３００ｍｍ〜６００ｍｍである。この場合、６０ｍｍ〜６００ｍｍの軸方向の長さが好適である。このことは、処理すべき物品の、毎時５０トンまでの処理量を可能とする。
【００５９】
ドラムの回転数は、態様次第で、第１種の羽根要素の衝撃付与面及び／又は第２種の羽根要素の羽根面が、６０ｍ／ｓより高い周速、好ましくは６５ｍ／ｓ〜８５ｍ／ｓ、さらに好ましくは７０ｍ／ｓ〜８０ｍ／ｓの周速を有するように選択される。
【００６０】
本発明に係る装置において、さらに好ましくは、少なくとも２つのドラムが軸方向で相並んで、ドラムアッセンブリを形成するために互いに結合される。ドラムは、好ましくは、両端面部材の一方において互いにフランジ結合される。これにより、本発明に係る装置は、モジュール式に構成可能である。さらにハウジングもモジュール式に構成可能である。ドラム及びハウジングモジュールを連結することで、これによりドラムアッセンブリの長さは、所望の処理量に適合可能である。
【００６１】
本発明に係る方法は、複数の衝撃付与面を装備し、回転軸線周りに回転するドラムに対して、処理すべき物品を、回転軸線に関して略半径方向で供給することを特徴とする。
【００６２】
流動特性は、軸方向‐半径方向の変向がないことに基づいて、従来技術の方法と比較して乱流が少ない。
【００６３】
物品は、その後、ドラムを好ましくは非軸方向で後にする。
【００６４】
さらに本発明は、横流送風機ロータ又は横流送風機に類似した装置の、流動性のある飼料又は食料中に含まれる虫を不活化するための使用に関する。
【００６５】
横流送風機ロータとして、処理すべき物品の略半径方向の供給及び排出を可能にし、特に、処理すべき物品に対して程度の差こそあれ顕著な吸い込みを及ぼす装置が考えられる。
【００６６】
以下に、本発明について、好ましい実施の形態を基に図面を参照しながらより詳細に説明する。
【図面の簡単な説明】
【００６７】
【図１】モータがフランジ結合された本発明の好ましい実施の形態の斜視断面図である。
【図２】装置の第２の好ましい実施の形態のドラムの横断面図である。
【図３】図２に示したドラムの側面図である。
【図４】羽根要素の詳細図である。
【図５】本発明に係る装置の第２の実施の形態のドラム及びハウジングの横断面図である。
【図６】モータがフランジ結合された本発明に係る装置の第３の実施の形態の側面図であって、装置自体は断面して示す図である。
【００６８】
図１は、主としてハウジング２とドラム６とからなる装置１を示している。
【００６９】
ハウジング２は、使用目的に応じて１つの部分から形成されていても、複数の部分から形成されていてもよい。
【００７０】
ハウジング２は、処理すべき物品を供給する入口開口３と、物品を排出する出口開口４とを有している。入口開口３及び出口開口４は、それぞれ矢印により略示し、ドラム６の軸方向の略全長にわたって延在している。
【００７１】
入口開口３及び出口開口４は、好ましくは、ドラム６の軸方向の全長にわたってそれぞれ略一定の幅を有している。
【００７２】
ドラム６は、２つの端面部材７及び８からなっているが、その全体が看取可能であるのは、端面部材７のみである。
【００７３】
端面部材７と端面部材８との間には、すなわちドラム６の長手方向で、ドラム６の回転軸線５に対して略平行に、複数の羽根要素９及び１２が延在している。
【００７４】
これらの羽根要素は、図２、図４及び図５により良好に看取可能である。
【００７５】
２種の羽根要素、すなわち第１種の羽根要素９と第２種の羽根要素１２とが存在し、簡明性のため、そのうちの幾つかにのみ符号を付した。
【００７６】
第１種の羽根要素９は、それぞれ１つの略平たんな衝撃付与面１０を有しており、それぞれ均等にドラム６の周囲に分配されており、第１の羽根領域を形成している。
【００７７】
第２種の羽根要素１２は、それぞれ１つの略平たんな羽根面１３を有しており、それぞれ均等にドラム６の周囲に分配されており、第２の羽根領域を形成している。第２種の羽根要素１２は、それぞれ、平たんな斜面又は弧状の斜面１５も有している。羽根面１３と斜面１５とは、ドラムの回転方向を向いた刃状の鋭利なエッジにおいて交わっている。
【００７８】
第１種の羽根要素９及び第２種の羽根要素１２は、それぞれ同心的に、回転軸線５を中心として配置されており、第２種の羽根要素１２は、半径方向で見て第１種の羽根要素９の外側に存在している。
【００７９】
第１種の羽根要素９は、略四角形の横断面を有しており、第１種の羽根要素９の長手方向に対して横方向に最も幅の広い面が衝撃付与面１０を形成している。
【００８０】
第２種の羽根要素１２は、略直角台形の横断面を有しており、第２種の羽根要素１２の互いに平行な面（底面）の最も幅の広い面が衝撃付与面１３を形成している。
【００８１】
第２種の羽根要素１２の両底面に対して垂直な面１４は、ドラム６の回転軸線５の方を向いており、つまり半径方向で見て、第２種の羽根要素１２の両底面に対して垂直でない他の面（つまり斜面）１５と比較して、回転軸線５から小さな間隔を置いている。
【００８２】
衝撃付与面１０により規定される平面と、第１種の羽根要素９の重心を通るドラム６の半径との間の角度αは、約０°〜１０°である。
【００８３】
羽根面１３により規定される平面と、第２種の羽根要素１２の斜面１５に対して略法線方向で延びるドラム６の半径との間の角度βは、約４０°〜６０°である。
【００８４】
第１種の羽根要素９及び第２種の羽根要素１２は、衝撃付与面１０及び羽根面１３がそれぞれ回転軸線の方を向いているように配置されている。
【００８５】
第１種の羽根要素９の数は、第２種の羽根要素１２の数に等しい。この場合、ドラムの直径が５００ｍｍであるとき、それぞれ２７個の第１種あるいは第２種の羽根要素が存在している。
【００８６】
図５に看取可能であるように、ドラム６は、実質的にハウジング２の壁１１により周囲を包囲されている。
【００８７】
壁１１と端面部材７の最も外側の寸法との間の間隙幅１６は、好ましくは１ｍｍ〜１０ｍｍである。
【００８８】
壁１１と斜面１５との間の最小の半径方向の間隔１７は、好ましくは１０ｍｍ〜１５ｍｍである。
【００８９】
入口開口３の領域には、払拭要素１８が配置されている。払拭要素１８は、好ましくはドラム６の軸方向の全長に沿って延在している。
【００９０】
払拭要素１８は、好ましくは、払拭要素１８と第２種の羽根要素１２との間の半径方向の間隙幅が１ｍｍ〜３ｍｍであるように配置されている。
【００９１】
出口開口４の領域にも、払拭要素１９が配置されている。払拭要素１９は、好ましくはドラム６の軸方向の全長に沿って延在している。
【００９２】
払拭要素１９も、好ましくは、払拭要素１９と第２種の羽根要素との間の半径方向の間隙幅が１ｍｍ〜３ｍｍであるように配置されている。
【００９３】
入口開口３は、好ましくは、壁１１の、入口開口３が開いた弧状区分を切り取った角度εが、３５°〜５０°であるように配置されている。
【００９４】
出口開口４は、好ましくは、壁１１の、出口開口４が開いた弧状区分を切り取った角度ζが、４０°〜５５°であるように配置されている。
【００９５】
この場合、入口開口３及び出口開口４は、角度ηが１５５°〜１７０°であるように、互いに配置されている。
【００９６】
これにより、装置１を通した物品の実質的に変向のない案内が生じる。
【００９７】
図６には、装置１の特別な実施の形態が看取可能である。ドラム６は、符号２１を付して略示したハブ装置２１を介してモータ２０にフランジ結合されている。
【００９８】
図１及び図６には、ドラム６が片持ち式に、モータ側に配置される端面部材８でのみ軸支されていることが看取可能である。
【００９９】
しかし、ドラム６の軸方向の長さ及び／又は直径次第では、モータ側に配置されていない端面部材７でも軸支が行われてもよい。
【０１００】
端面部材７を軸支するために、ドラム６の軸方向の全長にわたって延在するシャフト又は軸が使用されてもよい。
【０１０１】
さらに、円環形のディスクとして形成され、第１種の羽根要素９及び第２種の羽根要素１２に結合されている補強要素２２が設けられている。
【０１０２】
補強要素２２は、ドラム６の安定性を向上させ、運転時に発生する振動を低減し、羽根要素９及び１２の屈曲、ひいてはドラム６の直径の、遠心力に起因した半径方向の拡大を阻止する。
【図１】
2016529895.tif 000003
【図２】
2016529895.tif 000004
【図３】
2016529895.tif 000005
【図４】
2016529895.tif 000006
【図５】
2016529895.tif 000007
【図６】
2016529895.tif 000008
【国際調査報告】
2016529895.tif 000009
2016529895.tif 000010
2016529895.tif 000011
2016529895.tif 000012